【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
複数のグループに分けられる複数のショートシーケンスを使用する無線通信システムにおいて、第１同期信号及び第２同期信号を含むダウンリンクフレームを生成するダウンリンクフレーム生成方法であって、
セルグループ情報を示す第１ショートシーケンス及び第２ショートシーケンスを生成する段階と、
前記第１同期信号により決定される第１スクランブリングシーケンスを生成する段階と、
前記第１ショートシーケンスが属するグループにより決定される第２スクランブリングシーケンスを生成する段階と、
前記第１ショートシーケンスを前記第１スクランブリングシーケンスでスクランブリングし、前記第２ショートシーケンスを少なくとも前記第２スクランブリングシーケンスでスクランブリングする段階と、
前記スクランブリングされた第１ショートシーケンス及び第２ショートシーケンスを含む第２同期信号を周波数領域にマッピングする段階と
を備えることを特徴とするダウンリンクフレーム生成方法。
【請求項２】
前記マッピングする段階は、前記スクランブリングされた第１ショートシーケンス及び第２ショートシーケンスを複数個の副搬送波に交互に配置する段階を含むことを特徴とする請求項１に記載のダウンリンクフレーム生成方法。
【請求項３】
複数のグループに分けられる複数のショートシーケンスを使用する無線通信システムにおいて、第１同期信号及び第２同期信号を含むダウンリンクフレームを生成するダウンリンクフレーム生成方法であって、
セルグループ情報を示す第１ショートシーケンス及び第２ショートシーケンスを生成する段階と、
前記第１同期信号により決定される第１スクランブリングシーケンスを生成する段階と、
前記第１ショートシーケンスが属するグループにより決定される第２スクランブリングシーケンスと、前記第２ショートシーケンスが属するグループにより決定される第３スクランブリングシーケンスと、を生成する段階と、
前記第１ショートシーケンスを前記第１スクランブリングシーケンスでスクランブリングし、前記第２ショートシーケンスを少なくとも前記第２スクランブリングシーケンスでスクランブリングする段階と、
前記第２ショートシーケンスを前記第１スクランブリングシーケンスでスクランブリングし、前記第１ショートシーケンスを少なくとも前記第３スクランブリングシーケンスでスクランブリングする段階と、
前記第１スクランブリングシーケンスでスクランブリングされた第１ショートシーケンス及び少なくとも前記第２スクランブリングシーケンスでスクランブリングされた第２ショートシーケンスを含む１つの第２同期信号と、前記第１スクランブリングシーケンスでスクランブリングされた第２ショートシーケンス及び少なくとも前記第３スクランブリングシーケンスでスクランブリングされた第１ショートシーケンスを含むもう１つの第２同期信号と、を周波数領域にマッピングする段階と
を備えることを特徴とするダウンリンクフレーム生成方法。
【請求項４】
前記マッピングする段階は、
前記第１スクランブリングシーケンスでスクランブリングされた第１ショートシーケンスと、少なくとも前記第２スクランブリングシーケンスでスクランブリングされた第２ショートシーケンスと、を複数個の副搬送波に交互に配置することにより前記１つの第２同期信号を生成する段階と、
前記第１スクランブリングシーケンスでスクランブリングされた第２ショートシーケンスと、少なくとも前記第３スクランブリングシーケンスでスクランブリングされた第１ショートシーケンスと、を複数の副搬送波に交互に配置することにより前記もう１つの第２同期信号を生成する段階と
を含むことを特徴とする請求項３に記載のダウンリンクフレーム生成方法。
【請求項５】
複数のグループに分けられる複数のショートシーケンスを使用する無線通信システムにおいて、第１同期信号及び第２同期信号を含むダウンリンクフレームを生成するダウンリンクフレーム生成装置であって、
セルグループ情報を示す第１ショートシーケンス及び第２ショートシーケンス、前記第１同期信号により決定される第１スクランブリングシーケンス、前記第１ショートシーケンスが属するグループにより決定される第２スクランブリングシーケンスを生成するシーケンス生成部と、
前記第１ショートシーケンスを前記第１スクランブリングシーケンスでスクランブリングし、前記第２ショートシーケンスを少なくとも前記第２スクランブリングシーケンスでスクランブリングした後に、前記スクランブリングされた第１ショートシーケンス及び前記スクランブリングされた第２ショートシーケンスを含む１つの第２同期信号を生成する同期信号生成部と
を備えることを特徴とするダウンリンクフレーム生成装置。
【請求項６】
前記シーケンス生成部は前記第２ショートシーケンスが属するグループにより決定される第３スクランブリングシーケンスを生成することを特徴とする請求項５に記載のダウンリンクフレーム生成装置。
【請求項７】
前記同期信号生成部は、前記第２ショートシーケンスを前記第１スクランブリングシーケンスでスクランブリングし、前記第１ショートシーケンスを少なくとも前記第３スクランブリングシーケンスでスクランブリングした後、前記スクランブリングされた第１ショートシーケンス及び前記スクランブリングされた第２ショートシーケンスを含むもう１つの第２同期信号を生成する
ことを特徴とする請求項６に記載のダウンリンクフレーム生成装置。
【請求項８】
複数のグループに分けられる複数のショートシーケンスを使用する無線通信システムにおいて、第１同期信号及び第２同期信号を含むダウンリンクフレーム生成方法を実行するためのプログラムを記録した記録媒体であって、
セルグループ情報を示す第１ショートシーケンス及び第２ショートシーケンスを生成する段階と、
前記第１同期信号により決定される第１スクランブリングシーケンスを生成する段階と、
前記第１ショートシーケンスが属するグループにより決定される第２スクランブリングシーケンスを生成する段階と、
前記第１ショートシーケンスを前記第１スクランブリングシーケンスでスクランブリングし、前記第２ショートシーケンスを少なくとも前記第２スクランブリングシーケンスでスクランブリングする段階と、
前記スクランブリングされた第１ショートシーケンス及び第２ショートシーケンスを含む第２同期信号を周波数領域にマッピングする段階と
を備えるダウンリンクフレーム生成方法を実行するためのプログラムを記録した記録媒体。
【請求項９】
前記マッピングする段階は、前記スクランブリングされた第１ショートシーケンス及び第２ショートシーケンスを複数個の副搬送波に交互に配置する段階を含むことを特徴とするダウンリンクフレーム生成方法を実行するためのプログラムを記録した請求項８に記載の記録媒体。
【請求項１０】
複数のグループに分けられる複数のショートシーケンスを使用する無線通信システムにおいて、第１同期信号及び第２同期信号を含むダウンリンクフレーム生成方法を実行するためのプログラムを記録した記録媒体であって、
セルグループ情報を示す第１ショートシーケンス及び第２ショートシーケンスを生成する段階と、
前記第１同期信号により決定される第１スクランブリングシーケンスを生成する段階と、
前記第１ショートシーケンスが属するグループにより決定される第２スクランブリングシーケンスと、前記第２ショートシーケンスが属するグループにより決定される第３スクランブリングシーケンスと、を生成する段階と、
前記第１ショートシーケンスを前記第１スクランブリングシーケンスでスクランブリングし、前記第２ショートシーケンスを少なくとも前記第２スクランブリングシーケンスでスクランブリングする段階と、
前記第２ショートシーケンスを前記第１スクランブリングシーケンスでスクランブリングし、前記第１ショートシーケンスを少なくとも前記第３スクランブリングシーケンスでスクランブリングする段階と、
前記第１スクランブリングシーケンスでスクランブリングされた第１ショートシーケンス及び少なくとも前記第２スクランブリングシーケンスでスクランブリングされた第２ショートシーケンスを含む１つの第２同期信号と、前記第１スクランブリングシーケンスでスクランブリングされた第２ショートシーケンス及び少なくとも前記第３スクランブリングシーケンスでスクランブリングされた第１ショートシーケンスを含むもう１つの第２同期信号と、を周波数領域にマッピングする段階と
を備えるダウンリンクフレーム生成方法を実行するためのプログラムを記録した記録媒体。
【請求項１１】
前記マッピングする段階は、
前記第１スクランブリングシーケンスでスクランブリングされた第１ショートシーケンスと、少なくとも前記第２スクランブリングシーケンスでスクランブリングされた第２ショートシーケンスと、を複数個の副搬送波に交互に配置することにより前記１つの第２同期信号を生成する段階と、
前記第１スクランブリングシーケンスでスクランブリングされた第２ショートシーケンスと、少なくとも前記第３スクランブリングシーケンスでスクランブリングされた第１ショートシーケンスと、を複数の副搬送波に交互に配置することにより前記もう１つの第２同期信号を生成する段階と
を含むダウンリンクフレーム生成方法を実行するためのプログラムを記録した請求項１０に記載の記録媒体。
【請求項１２】
複数のセルが複数のセルグループにグループ化され、各セルグループは少なくとも２つのセルを含む通信システムにおける端末のセル識別方法において、
セルグループ内のセルを区分するセル識別シーケンスの番号により決定される第１同期信号を受信する段階と、
第１スクランブリングシーケンスでスクランブリングされた第１ショートシーケンスと、少なくとも第２スクランブリングシーケンスでスクランブリングされた第２ショートシーケンスと、を含む第２同期信号を受信する段階と、
を含み、
前記第１ショートシーケンス及び前記第２ショートシーケンスは、セルグループを区分するセルグループ番号により決定され、
前記第１スクランブリングシーケンスは前記第１同期信号に依存し、
複数のショートシーケンスは複数のグループにグループ化されており、前記第２スクランブリングシーケンスは前記複数のグループのうちの前記第１ショートシーケンスが属するグループに依存し、
前記端末は、前記セルグループ番号と前記セル識別シーケンス番号でセルを識別する
ことを特徴とするセル識別方法。
【請求項１３】
複数のセルが複数のセルグループにグループ化され、各セルグループは少なくとも２つのセルを含む通信システムにおける端末のセル識別方法において、
セルグループ内のセルを区分するセル識別シーケンスの番号により決定される第１同期信号を受信する段階と、
第１スクランブリングシーケンスでスクランブリングされた第１ショートシーケンスと、少なくとも第２スクランブリングシーケンスでスクランブリングされた第２ショートシーケンスを含む第２同期信号を受信する段階と、
前記第１スクランブリングシーケンスでスクランブリングされた第２ショートシーケンスと、少なくとも第３スクランブリングシーケンスでスクランブリングされた第１ショートシーケンスと、を含むもう１つの第２同期信号を受信する段階と、
を含み、
前記第１ショートシーケンス及び前記第２ショートシーケンスは、セルグループを区分するセルグループ番号により決定され、
前記第１スクランブリングシーケンスは前記第１同期信号に依存し、
複数のショートシーケンスは複数のグループにグループ化されており、前記第２スクランブリングシーケンスは前記複数のグループのうちの前記第１ショートシーケンスが属するグループに依存し、
前記第３スクランブリングシーケンスは前記複数のグループのうちの前記第２ショートシーケンスが属するグループに依存し、
前記端末は、前記セルグループ番号と前記セル識別シーケンス番号でセルを識別する
ことを特徴とするセル識別方法。
【請求項１４】
無線通信システムにおける端末のセル探索方法であって、
第１同期信号及び第２同期信号を含むダウンリンクフレームを受信する段階と、
前記第１同期信号及び前記第２同期信号を利用してセルを識別する段階と
を含み、
前記第２同期信号は、第１スクランブリングシーケンスでスクランブリングされた第１ショートシーケンス及び第２スクランブリングシーケンスでスクランブリングされた第２ショートシーケンスを含み、
前記第１スクランブリングシーケンスは前記第１同期信号により決定され、
前記無線通信システムは複数のショートシーケンスを使用し、前記複数のショートシーケンスは複数のグループに分けられ、前記第２スクランブリングシーケンスは前記第１ショートシーケンスが属するグループにより決定され、
前記第１ショートシーケンス及び前記第２ショートシーケンスはセルグループ情報を示す
ことを特徴とするセル探索方法。
【請求項１５】
前記スクランブリングされた第１ショートシーケンス及び前記スクランブリングされた第２ショートシーケンスは、前記ダウンリンクフレームで複数個の副搬送波に交互に配置されることを特徴とする請求項１４に記載のセル探索方法。
【請求項１６】
前記セルを識別する段階は、
前記第２同期信号を利用してセルグループを識別する段階と、
前記第１同期信号を利用して前記セルグループ内で前記セルを識別する段階と
を含むことを特徴とする請求項１４に記載のセル探索方法。
【請求項１７】
前記ダウンリンクフレームは複数のスロットを含み、前記スロットは複数のシンボルを含み、
前記第１同期信号は、前記スロットの最後のシンボルに位置し、前記第２同期信号は、前記スロットの最後のシンボルの直前のシンボルに位置する
ことを特徴とする請求項１４に記載のセル探索方法。
【請求項１８】
無線通信システムにおける端末のセル探索方法であって、
第１同期信号及び２つの第２同期信号を含むダウンリンクフレームを受信する段階と、
前記第１同期信号及び前記２つの第２同期信号のうちの少なくとも１つの第２同期信号を利用してセルを識別する段階と
を含み、
前記２つの第２同期信号のうちの１つは、第１スクランブリングシーケンスでスクランブリングされた第１ショートシーケンス及び第２スクランブリングシーケンスでスクランブリングされた第２ショートシーケンスを含み、
前記２つの第２同期信号のうちの他の１つは、前記第１スクランブリングシーケンスでスクランブリングされた第２ショートシーケンス及び第３スクランブリングシーケンスでスクランブリングされた前記第１ショートシーケンスを含み、
前記第１スクランブリングシーケンスは前記第１同期信号により決定され、
前記無線通信システムは複数のショートシーケンスを使用し、前記複数のショートシーケンスは複数のグループに分けられ、前記第２スクランブリングシーケンスは前記第１ショートシーケンスが属するグループにより決定され、前記第３スクランブリングシーケンスは前記第２ショートシーケンスが属するグループにより決定され、
前記第１ショートシーケンス及び前記第２ショートシーケンスはセルグループ情報を示す
ことを特徴とするセル探索方法。
【請求項１９】
前記１つの第２同期信号において、前記第１スクランブリングシーケンスでスクランブリングされた第１ショートシーケンス及び前記第２スクランブリングシーケンスでスクランブリングされた第２ショートシーケンスが、前記ダウンリンクフレームで複数個の副搬送波に交互に配置され、
前記他の１つの第２同期信号において、前記第１スクランブリングシーケンスでスクランブリングされた第２ショートシーケンス及び前記第３スクランブリングシーケンスでスクランブリングされた第１ショートシーケンスが、前記ダウンリンクフレームで複数個の副搬送波に交互に配置される
ことを特徴とする請求項１８に記載のセル探索方法。
【請求項２０】
前記セルを識別する段階は、
前記少なくとも１つの第２同期信号を利用してセルグループを識別する段階と、
前記第１同期信号を利用して前記セルグループ内で前記セルを識別する段階と
を含むことを特徴とする請求項１８に記載のセル探索方法。
【請求項２１】
セル探索装置であって、
第１同期信号及び第２同期信号を含むダウンリンクフレームを受信する受信機と、
前記第１同期信号及び前記第２同期信号を利用してセルを識別するセルＩＤ推定器と
を含み、
前記第２同期信号は、第１スクランブリングシーケンスでスクランブリングされた第１ショートシーケンス及び第２スクランブリングシーケンスでスクランブリングされた第２ショートシーケンスを含み
前記第１スクランブリングシーケンスは前記第１同期信号により決定され、
前記無線通信システムは複数のショートシーケンスを使用し、前記複数のショートシーケンスは複数のグループに分けられ、前記第２スクランブリングシーケンスは前記第１ショートシーケンスが属するグループにより決定され、
前記第１ショートシーケンス及び前記第２ショートシーケンスはセルグループ情報を示す
ことを特徴とするセル探索装置。
【請求項２２】
前記スクランブリングされた第１ショートシーケンス及び前記スクランブリングされた第２ショートシーケンスは、前記ダウンリンクフレームで複数個の副搬送波に交互に配置されることを特徴とする請求項２１に記載のセル探索装置。
【請求項２３】
前記セルＩＤ推定器は、
前記第２同期信号を利用してセルグループを識別し、
前記第１同期信号を利用して前記セルグループ内で前記セルを識別する
ことを特徴とする請求項２１に記載のセル探索装置。
【請求項２４】
前記ダウンリンクフレームは複数のスロットを含み、前記スロットは複数のシンボルを含み、
前記第１同期信号は、前記スロットの最後のシンボルに位置し、前記第２同期信号は、前記スロットの最後のシンボルの直前のシンボルに位置する
ことを特徴とする請求項２１に記載のセル探索装置。
【請求項２５】
無線通信システムにおける端末のセル探索方法であって、
第１同期信号及び２つの第２同期信号を含むダウンリンクフレームを受信する受信機と、
前記第１同期信号及び前記２つの第２同期信号のうちの少なくとも１つの第２同期信号を利用してセルを識別するセルＩＤ推定器と
を含み、
前記２つの第２同期信号のうちの１つは、第１スクランブリングシーケンスでスクランブリングされた第１ショートシーケンス及び第２スクランブリングシーケンスでスクランブリングされた第２ショートシーケンスを含み、
前記２つの第２同期信号のうちの他の１つは、前記第１スクランブリングシーケンスでスクランブリングされた前記第２ショートシーケンス及び第３スクランブリングシーケンスでスクランブリングされた前記第１ショートシーケンスを含み、
前記第１スクランブリングシーケンスは前記第１同期信号により決定され、
前記無線通信システムは複数のショートシーケンスを使用し、前記複数のショートシーケンスは複数のグループに分けられ、前記第２スクランブリングシーケンスは前記第１ショートシーケンスが属するグループにより決定され、前記第３スクランブリングシーケンスは前記第２ショートシーケンスが属するグループにより決定され、
前記第１ショートシーケンス及び前記第２ショートシーケンスはセルグループ情報を示す
ことを特徴とするセル探索装置。
【請求項２６】
前記１つの第２同期信号において、前記第１スクランブリングシーケンスでスクランブリングされた第１ショートシーケンス及び前記第２スクランブリングシーケンスでスクランブリングされた第２ショートシーケンスが、前記ダウンリンクフレームで複数個の副搬送波に交互に配置され、
前記他の１つの第２同期信号において、前記第１スクランブリングシーケンスでスクランブリングされた第２ショートシーケンス及び前記第３スクランブリングシーケンスでスクランブリングされた第１ショートシーケンスが、前記ダウンリンクフレームで複数個の副搬送波に交互に配置される
ことを特徴とする請求項２５に記載のセル探索装置。
【請求項２７】
前記セルＩＤ推定器は、
前記少なくとも１つの第２同期信号を利用してセルグループを識別し、
前記第１同期信号を利用して前記セルグループ内で前記セルを識別する
ことを特徴とする請求項２５に記載のセル探索装置。